(57)【特許請求の範囲】
【請求項１】
固有の識別データ及び生産性情報が記憶される第１の記憶手段を有し、光学的に画像を読み込むデジタルスキャナ装置と、
前記デジタルスキャナ装置が接続されたときに当該デジタルスキャナ装置と自身の制御を司る制御手段を有するデジタルプリンタ装置と、
を備え、
前記制御手段が、前記デジタルスキャナ装置と前記デジタルプリンタ装置を接続して画像形成装置を実現するとき、前記第１の記憶手段の特定領域に記憶された識別データ及び生産性情報を示す固有値が特定値でない場合に、前記特定値と前記デジタルスキャナ装置固有の識別データと前記デジタルスキャナ装置の生産性情報を前記デジタルプリンタ装置に設けられた第２の記憶手段にコピーする画像形成装置において、
前記制御手段は、
前記第２の記憶手段にコピーされることにより格納されている前記デジタルスキャナ装置の生産性情報を前記第２の記憶手段から読み出し、前記デジタルスキャナ装置と前記デジタルプリンタ装置の生産性が一致しているか否かを判定し、
前記生産性が一致しているときには、画像形成処理を実行させ、
前記生産性が一致していないときには、前記デジタルスキャナ装置の生産性が前記デジタルプリンタ装置側で調整可能な前記デジタルスキャナの生産性情報の上下限値の幅内であれば、スキャナモータの制御テーブルを選択して当該スキャナモータを駆動し、前記デジタルスキャナ装置の前記生産性と前記デジタルプリンタ装置の生産性を一致させて画像形成処理を実行させること
を特徴とする画像形成装置。
【請求項２】
請求項１に記載の画像形成装置において、
前記制御手段は、前記デジタルプリンタの生産性が前記生産性情報の上下限値の幅外である場合には、異常終了させること
を特徴とする画像形成装置。
【発明の詳細な説明】
【技術分野】
【０００１】
本発明は、デジタルスキャナとこのデジタルスキャナに接続可能なデジタルプリンタとにより構成される画像形成装置に関する。
【背景技術】
【０００２】
デジタル複写機のような画像形成装置の構成は、機能的にデジタルスキャナとデジタルプリンタに大別できる。デジタルスキャナには機器固有の特性値あるいは調整値が存在し、一方デジタルプリンタにも同様に特性値あるいは調整値が存在する。デジタル複写機の構成では、各々の特性値あるいは調整値は通常シーケンシャルな制御を実現するデジタルプリンタ装置側に不揮発メモリを配置し、この不揮発メモリに格納している。
【０００３】
しかしながら、別々に製造されたデジタルスキャナとデジタルプリンタを市場において接続し、デジタル複写機を実現する場合、各々の特性値あるいは調整値は各々の不揮発メモリに格納せざるを得ない。一般的に、デジタルスキャナとデジタルプリンタには各々を制御するマイクロコンピュータが搭載されており、各々のマイクロコンピュータが通信を行うことによりデジタルコピー機能を実現している。
【０００４】
そこで、例えば特許文献１には、デジタル複写機において、プリンタ及びスキャナを制御するプリンタ側ＣＰＵと、プリンタの特性値を記憶するプリンタ用不揮発記憶媒体とを設け、スキャナ用不揮発記憶媒体の一部にスキャナ固有の識別データを予め入力しておき、スキャナとプリンタを接続してデジタル複写機を実現する際に、少なくともプリンタ用不揮発記憶媒体の特定領域の値が特定値でないことにより、ＣＰＵがスキャナ用不揮発記憶媒体の特性値とスキャナ固有の識別データとをプリンタ用不揮発記憶媒体の一部にコピーするようにして、デジタルプリンタのマイクロコンピュータがデジタルスキャナの特性値あるいは調整値をその都度呼び出すことなく、実現することが提案されている。
【特許文献１】特開２００４−３２０３４号公報
【発明の開示】
【発明が解決しようとする課題】
【０００５】
上記発明においては、デジタルプリンタにデジタルスキャナを接続したシステム機器が複数台存在し、オペレータのミスにより、万が一デジタルプリンタとデジタルスキャナの組み合わせが異なって再接続された場合についても言及されているが、接続可能なデジタルプリンタとデジタルスキャナの組み合わせについては言及していなかった。すなわち、同一生産性、すなわちデジタルスキャナ装置においては１分当たりの画像読み取り枚数、そしてデジタルプリンタ装置 においては１分当たりの用紙出力枚数である生産性が同じのデジタルプリンタとデジタルスキャナの組み合わせであれば問題ないが、異なる生産性のデジタルプリンタとデジタルスキャナの組み合わせ、例えばデジタルプリンタの生産性がデジタルスキャナの生産性よりも低い場合には、デジタルスキャナから送出される画像データをデジタルプリンタが同期を取って受信することができず、デジタル複写機の機能を実現できない。
【０００６】
そこで、本発明が解決しようとする課題は、簡単な制御処理により、デジタルスキャナ装置とデジタルプリンタ装置を接続してデジタル複写機能を実現することにある。
【課題を解決するための手段】
【０００７】
前記課題を解決するため、本発明は、固有の識別データ及び生産性情報が記憶される第１の記憶手段を有し、光学的に画像を読み込むデジタルスキャナ装置と、前記デジタルスキャナ装置が接続されたときに当該デジタルスキャナ装置と自身の制御を司る制御手段を有するデジタルプリンタ装置と、を備え、前記制御手段が、前記デジタルスキャナ装置と前記デジタルプリンタ装置を接続して画像形成装置を実現するとき、前記第１の記憶手段の特定領域に記憶された識別データ及び生産性情報を示す固有値が特定値でない場合に、前記特定値と前記デジタルスキャナ装置固有の識別データと前記デジタルスキャナ装置の生産性情報を前記デジタルプリンタ装置に設けられた第２の記憶手段にコピーする画像形成装置において、前記制御手段は、前記第２の記憶手段にコピーされることにより格納されている前記デジタルスキャナ装置の生産性情報を前記第２の記憶手段から読み出し、前記デジタルスキャナ装置と前記デジタルプリンタ装置の生産性が一致しているか否かを判定し、前記生産性が一致しているときには、画像形成処理を実行させ、前記生産性が一致していないときには、前記デジタルスキャナ装置の生産性が前記デジタルプリンタ装置側で調整可能な前記デジタルスキャナの生産性情報の上下限値の幅内であれば、スキャナモータの制御テーブルを選択して当該スキャナモータを駆動し、前記デジタルスキャナ装置の前記生産性と前記デジタルプリンタ装置の生産性を一致させて画像形成処理を実行させることを特徴とする。
【００１２】
後述の実施形態において、第１の記憶手段はＥＥＰＲＯＭ１８に、デジタルスキャナ装置はデジタルスキャナ１に、第２の記憶手段はＮＶＲＡＭ２５に、デジタルプリンタ装置はデジタルプリンタ２に、制御手段はＣＰＵ２２に、特定領域はフラグ領域に、特定値とはフラグ領域の例えば初期値に、それぞれ対応する。なお、この初期値は例えばフラグ領域の初期値を００Ｈとしておき、特性値データのコピーを完了し、フラグ領域の値を０１Ｈに書き換えたときには、この０１Ｈの値に相当する。
【発明の効果】
【００１３】
本発明によれば、簡単な制御処理により、デジタルスキャナ装置とデジタルプリンタ装置を接続してデジタル複写機能を実現することができる。
【発明を実施するための最良の形態】
【００１４】
以下、図面を参照し、本発明の実施形態について説明する。
【００１５】
図１は本発明の一実施形態に係る画像形成装置のハードウェア構成を示すブロック図である。
【００１６】
この実施形態においては、デジタルスキャナ１はデジタルプリンタ２に接続することによりデジタル複写機３０としての機能を実現する。デジタルスキャナ１は、ＩＣで構成されたコントローラ１１と、原稿を読み取るＣＣＤ１２と、画像信号に対して所定の処理を施す回路部１３と、キャリッジのホームポジションを検出するセンサ１４と、照明ランプ１６を点灯するインバータ１５と、キャリッジ（図示しない）を駆動するモータ１７と、書き換え可能な不揮発性記憶媒体（第１の記憶手段）であるＥＥＰＲＯＭ１８とを備えている。一方、デジタルプリンタ２は、ＣＰＵ２２と、ＲＯＭ２３と、ＲＡＭ２４と、不揮発性メモリ（第２の記憶手段）であるＮＶＲＡＭ２５と、画像処理部２６とを有するメイン制御部２１を備えている。
【００１７】
デジタルスキャナ１において、ＣＣＤ１２で光電変換された画像信号は、回路部１３に入力され、信号増幅、信号合成、可変増幅、信号デジタル化（Ａ／Ｄ変換）の工程を経てデジタルプリンタ２の画像処理部２６に出力される。デジタルスキャナ１の制御はコントローラ１１を介してなされており、コントローラ１１には原稿を露光するランプ１６をドライブするインバータ１５のオン／オフ機能、ランプ１６が配置され原稿を走査するキャリッジ（図示しない）を駆動するモータ１７のドライブ機能、センサ１４の入力機能、及びＥＥＰＲＯＭ１８のアクセス機能を有している。
【００１８】
デジタルプリンタ２において、メイン制御部２１にはデジタルプリンタ２のエンジン部（図示しない）及びデジタルスキャナ１のコントローラ１１を制御するＣＰＵ２２が搭載されている。ＣＰＵ２２は、ＲＯＭ２３に格納されたプログラムに従った処理を、ＲＡＭ２４をワークエリアとして使用しながら実行し、デジタルスキャナ１が接続されていない場合は、デジタルプリンタとしての機能を実現するようにデジタルプリンタ２及びデジタルスキャナ１を制御する。ＣＰＵ２２の処理において、ＲＡＭ２４は処理上の一時的なデータの保管に用いられ、ＮＶＲＡＭ２５にはデジタルプリンタ２における機器固有の特性値が記憶されている。また、デジタルスキャナ１における機器固有の特性値は、コントローラ１１に接続されるＥＥＰＲＯＭ１８に記憶されており、デジタルスキャナ１及びデジタルプリンタ２のそれぞれの製造工程で、各特性値は入力される。ここでいう特性値は、例えばスキャナのトリミング領域に関する値である。このトリミング領域に関する値は、画像データを転写紙に対してどれくらいずらすかという値である。
【００１９】
図２はメモリマップを示す図で（ａ）は図１のＥＥＰＲＯＭ１８のメモリマップ、（ｂ）は図１のＮＶＲＡＭ２５のメモリマップである。
【００２０】
図２の（ａ）に示すように、ＥＥＰＲＯＭ１８の００００番地から数バイトの領域にヘッダー領域３１が設けられており、続いてデジタルスキャナ１の特性値が格納されるデータ領域３４が配置されている。同様に、図２の（ｂ）に示すように、ＮＶＲＡＭ２５の００００番地から数バイトの領域にヘッダー領域４１が設けられており、続いてスキャナデータ領域４４がＥＥＰＲＯＭ１８のデータ領域と同じ容量あるいはそれ以上設けられており、続いてプリンタデータ領域４５が配置されている。
【００２１】
ＥＥＰＲＯＭ１８のヘッダー領域３１には、識別データ領域３２とフラグ領域３３が配置されている。また、ＮＶＲＡＭ２５のヘッダー領域４１にも識別データ領域４２とフラグ領域４３が配置されている。
【００２２】
さて、ＥＥＰＲＯＭ１８には、デジタルスキャナ１の製造工程において機器固有の特性値をデータ領域３４に格納すると同時に、そのヘッダー領域３１に配置された識別データ領域３２にデジタルスキャナ１の固体識別用データ（例えば、デジタルスキャナ１の製造番号）を、フラグ領域３３には特定の初期値（特定値）を記憶しておく。同様に、ＮＶＲＡＭ２５には、デジタルプリンタ２の製造工程において機器固有の特性値をプリンタデータ領域４５に格納すると同時に、そのヘッダー領域４１に配置された識別データ領域４２、フラグ領域４３、スキャナデータ領域４４に特定の初期値を記憶しておく。
【００２３】
またＥＥＰＲＯＭ１８のデータ領域３４には、デジタルスキャナ１の生産性情報が記憶されている。なお、デジタルスキャナ１の生産性情報は、ＥＥＰＲＯＭ１８のヘッダー領域３１に設けても良い。
【００２４】
デジタルスキャナ１の生産性情報は、ＣＣＤ１２、回路部１３、コントローラ１１、ランプ１６、モータ１７等の構成部品から決まる上下限値であり、一般にはデジタルスキャナ１の生産性（１分当たりの画像読み取り枚数）と、回路部１３からデジタルプリンタ２の画像処理部２６への転送ルートは比例関係になっている。
【００２５】
市場のデジタルプリンタ２に、オプションのデジタルスキャナ１を接続した場合、機器の接続が終了し、電源を投入した際、図３のフローチャートに示す処理を実行する。図３はデジタル複写機の制御処理を示すフローチャートである。
【００２６】
すなわち、ＣＰＵ２２はデジタルスキャナ１の接続を確認したら、ＮＶＲＡＭ２５のフラグ領域４３のデータを読み出す（ステップＳ１０１）。読み出したデータが初期値であるか否かをチェックし（ステップＳ１０２）、初期値の場合はＥＥＰＲＯＭ１８のデータ領域からデジタルスキャナ１の特性値を読み出し、ＲＡＭ２４に書き込む（ステップＳ１０３）。なお、この初期値データには、デジタルスキャナ１の生産性情報が含まれている。次に、ＲＡＭ２４に書き込んだデジタルスキャナ１の特性値データをＮＶＲＡＭ２５のスキャナデータ領域４４に書き込む（ステップＳ１０４）。そして、ＥＥＰＲＯＭ１８のフラグ領域に特定値を書き込み（ステップＳ１０５）、またＮＶＰＡＭ２５のフラグ領域４３に特定値を書き込む（ステップＳ１０６）。更に、ＥＥＰＲＯＭ１８の識別データ領域３２からデジタルスキャナ１の個体識別用データを読み出し、ＲＡＭ２４に書き込む（ステップＳ１０７）。次に、ＲＡＭ２４に書き込んだデジタルスキャナ１の個体識別用データをＮＶＲＡＭ２５の識別データ領域４２に書き込み（ステップＳ１０８）、処理を終了する。
【００２７】
この一連の処理により、デジタルプリンタ２の機器固有の特性値データとデジタルスキャナ１の機器固有の特性値データ、更にはデジタルスキャナ１の生産性情報が格納されるため、ＣＰＵ２２は同一基板（メイン制御部２１）上のＮＶＲＡＭ２５を読み出すことのできるデジタル複写機としての機能を実現できる。
【００２８】
また、次回からのデジタル複写機起動時（電源投入時）の処理について、ステップＳ１０２において、読み出したデータが初期値でない場合は以下のように処理される。
【００２９】
ステップＳ１０２において、読み出したデータが初期値でない場合は続いてＥＥＰＲＯＭ１８のフラグ領域３３のデータを読み出し（ステップＳ１０９）、そのデータが初期値であるか否かをチェックする（ステップＳ１１０）。読み出したデータが初期値でない場合は、ＣＰＵ２２は、ＮＶＲＡＭ２５からの識別データ領域４２のデータを読み出す（ステップＳ１１１）。続いてＥＥＰＲＯＭ１８の識別データ領域４３２からデジタルスキャナ１の個体識別用データを読み出し（ステップＳ１１２）、２つのデータを比較して一致しているか否かをチェックする（ステップＳ１１３）。比較結果が一致している場合は、処理を正常終了する。
【００３０】
次に、上記のデジタルスキャナ１とデジタルプリンタ２の組み合わせからなるシステムの他に、もう１台のデジタルスキャナ１０１とデジタルプリンタ２０２（共に図示しない）の組み合わせからなるシステムが存在し、デジタルスキャナ１０１とデジタルプリンタ２が組み合わさってしまった場合は以下のように処理される。
【００３１】
この場合のデジタル複写機能の起動時（電源投入時）の処理は、ステップＳ１０１においてＣＰＵ２２がデジタルスキャナ１０１の接続を確認後、ステップＳ１０２においてＮＶＲＡＭ２５のフラグ領域４３のデータを読み出したとき、そのデータが初期値であるか否かをチェックする。この場合、データは初期値でないので、ステップＳ１０９に進み、ＥＥＰＲＯＭ１８のフラグ領域のデータを読み出し、ステップＳ１１０においてそのデータが初期値であるか否かをチェックする。読み出したデータは初期値でないためステップＳ１０９に進み、ＥＥＰＲＯＭ１８のフラグ領域３３のデータを読み出す。読み出したデータが初期値であるか否かをステップＳ１１０でチェックする。読み出したデータは初期値でないため、ステップＳ１１１に進み、ＮＶＲＡＭ２５の識別データを読み出し、続いてＥＥＰＲＯＭ１８の識別データ３２からデジタルスキャナ１０１の個体識別用データを読み出し、ステップＳ１１３で２つのデータを比較する。この場合、比較結果が一致しないので、異常終了の処理を行って処理を終える（ステップＳ１１４）。
【００３２】
デジタルスキャナ１の電気的な故障等により、ＥＥＰＲＯＭ１８を含むスキャナ制御部（図示しない）が交換された場合は以下のように処理される。
【００３３】
この場合は、ＮＶＲＡＭ２５の識別データ領域４２には交換前のデジタルスキャナ１の個体識別用データが、フラグ領域４３には特定値が既に書き込まれているが、ＥＥＰＲＯＭ１８の識別データ領域３２には、交換後のデジタルスキャナの個体識別用データが書き込まれており、更にフラグ領域３３のデータは初期値となっている。デジタルスキャナ１の機器固有の特定値は、ランプ１６、回路部１３、モータ部１７及びそれを保持する筐体のバラツキに依存するため、それらの部品が交換されない限り機器の固有値は不変である。この場合の処理について、図３を用いて説明する。
【００３４】
図３において、ＣＰＵ２２はデジタルスキャナ１の接続を確認したら、ステップＳ１０１でＮＶＲＡＭ２５のフラグ領域４３のデータを読み出し、読み出したデータが初期値であるか否かをステップＳ１０２でチェックする。読み出したデータは初期値でないためステップＳ１０９に進み、ＥＥＰＲＯＭ１８のフラグ領域３３のデータを読み出す。読み出したデータが初期値であるか否かをステップＳ１１０でチェックする。読み出したデータは初期値であるので、ＮＶＲＡＭ２５のスキャナデータ領域４４に格納されているデジタルスキャナ１の特性値データを読み出し、ＲＡＭ２４に書き込む（ステップＳ１１５）。次に、ＲＡＭ２４に書き込んだデジタルスキャナ１の特性値データをＥＥＰＲＯＭ１８のデータ領域３４に書き込む（ステップＳ１１６）。そして、ＥＥＰＲＯＭ１８のフラグ領域３３に特定値を書き込む（ステップＳ１１７）。更に、ステップＳ１０７に進み、ＥＥＰＲＯＭ１８の識別データ領域３２からデジタルスキャナ１の個体識別用データを読み出し、ＲＡＭ２４に書き込み、続いてステップＳ１０８において、ＲＡＭ２４に書き込んだデジタルスキャナ１の個体識別用データをＮＶＲＡＭ２５の識別データ領域４２に書き込み、処理を終了する。
【００３５】
この一連の処理により、デジタルスキャナ１の機器固有の特定値データとデジタルスキャナ１の生産性情報を、デジタルスキャナ１側とデジタルプリンタ２側の両方で記憶しておくことが可能となり、この後、何からの障害が発生し、デジタルプリンタ２が故障してＮＶＲＡＭ２５を含むメイン制御部２１あるいはデジタルプリンタ２自体を交換せざるを得ない状況に遭遇しても、デジタルスキャナ１はそのまま使用可能である。その場合、前述の図３のデジタルプリンタ２とデジタルスキャナ１の最初の接続処理ルーチンを実行することになる。
【００３６】
次に、デジタルプリンタ２にデジタルスキャナ１が接続され、デジタル複写機を実現した状態でデジタルスキャナ１の機器固有の特性値に依存する部品、すなわちランプ１６、回路部１３、モータ部１７及びそれを保持する筐体を一部交換した場合は以下のように処理される。
【００３７】
この場合、ＥＥＰＲＯＭ１８のデータ領域３４に格納されている特性値データの内、一部のパラメータを調整作業により変更することになる。このとき、ユーザあるいはサービスマンは所定のマニュアルに従い、調整処理を実行し操作パネル（図示しない）から変更する値を入力する。ＣＰＵ２２は入力されたパラメータ（アドレス）とその値（データ）一旦ＲＡＭ２４に格納し、決定キー（図示しない）の押下によりＮＶＲＡＭ２５のスキャナデータ領域４４の該当アドレスにデータを書き込む。この際、当然ながらＥＥＰＲＯＭ１８のデータ領域３４の該当アドレスにもデータを書き込む必要があるが、書き込み対象がＮＶＲＡＭ２５とＥＥＰＲＯＭ１８の２つであるため、ひとつのパラメータ変更にかかる処理は２倍となる。
【００３８】
ここでは、本処理にかかる時間を短縮する手順を図４のフローチャートを用いて説明する。図４は処理時間短縮のための処理手順を示すフローチャートである。
【００３９】
図４において、ユーザあるいはサービスマンが調整モードを選択すると、ＣＰＵ２２は操作パネルへパラメータを表示させ（ステップＳ２０１）、データの入力を待つ（ステップＳ２０２）。操作パネルからデジタルスキャナ１の特性値データが入力されると、そのパラメータに該当するＮＶＲＡＭ２５のスキャナデータ領域４４のアドレスとデータをＲＡＭ２４に一旦格納し（ステップＳ２０３）、決定キーの入力を待つ（ステップＳ２０４）。操作パネルからの決定キー入力を認識すると、ＣＰＵ２２はＲＡＭ２４を読み出し、該当するＮＶＲＡＭ２５のスキャナデータ領域４４のアドレスに、入力された特性値データを書き込む（ステップＳ２０５）。その後、調整モードの終了を認識する（ステップＳ２０６）。終了を認識すると、ＥＥＰＲＯＭ１８のフラグ領域３３に初期値を書き込み（ステップＳ２０７）、操作パネルに電源投入を促すメッセージを表示する（ステップＳ２０８）。
【００４０】
この一連の処理の結果、ユーザあるいはサービスマンが電源を投入すると、図３のフローチャートにおけるステップＳ１０１からＳ１０２、Ｓ１０９、Ｓ１１０、Ｓ１１５、Ｓ１１６、更にＳ１１７という処理により、書き換えられたＮＶＲＡＭ２５のスキャナデータ領域４４のデータをＥＥＰＲＯＭ１８のデータ領域３４にコピーする。
【００４１】
続いて、デジタルスキャナ１とデジタルプリンタ２の組み合わせによりデジタル複写機能を実現する際は、図５のフローチャートに示す処理を実行する。図５はデジタルスキャナ１とデジタルプリンタ２の組み合わせによりデジタル複写機能を実現するための処理手順を示すフローチャートである。
【００４２】
図５において、ＣＰＵ２２はＮＶＲＡＭ２５に格納しているデジタルスキャナ１の機器固有の特性値データとデジタルスキャナ１の生産性情報を読み出し、ＲＡＭ２４に書き込む（ステップＳ３０１）。次に、デジタルスキャナ１とデジタルプリンタ２の生産性が一致しているか否かをチェックする（ステップＳ３０２）。生産性が一致している場合は、ＣＰＵ２２はデジタルスキャナ１のコントローラ１１と通信を行って、スキャナモータ１７の駆動を選択し（ステップＳ３０３）、デジタルプリンタ２の生産性とデジタルスキャナ１の生産性を一致させる。これにより、回路部１３からデジタルプリンタ２の画像処理部２６へ画像データが転送され、同期が取られた状態でデジタルプリンタ２の画像形成処理が行われる。
【００４３】
ステップＳ３０２において生産性が一致していない場合は、デジタルスキャナ１の生産性情報の幅（上下限値）にデジタルプリンタ２の生産性が該当しているかを判定する（ステップＳ３０４）。デジタルスキャナ１の生産性情報の幅にデジタルプリンタ２の生産性が該当する場合は、ステップＳ３０３に進み、デジタルプリンタ２の生産性とデジタルスキャナ１の生産性を一致させる。
【００４４】
なお、図６のフローチャートに従う処理は、図３のフローチャートに従う処理が正常終了していなくてはならない。すなわち、図３におけるステップＳ１０１からＳ１０２、Ｓ１０９、Ｓ１１０、Ｓ１１１、Ｓ１１２そしてＳ１１３という処理により、ＮＶＲＡＭ２５の識別データ領域４２のデータとＥＥＰＲＯＭ１８の識別データ領域３２の個体識別用データとの比較が一致していることを条件とする。
【００４５】
これにより、電源オン時に接続されているデジタルスキャナ１が前回から変化していないことを検出できるため、デジタルプリンタ２の生産性とデジタルスキャナ１の生産性を一致させる一連の処理に、ＮＶＲＡＭ２５に格納しているデジタルスキャナ１の生産性情報を用いることができる。
【００４６】
一方、ステップＳ３０４において、判定結果が該当していない場合は、ＣＰＵ２２はデジタルプリンタ２の生産性とデジタルスキャナ１の生産性を一致させることができず、異常終了となる（ステップＳ３０５）。
【００４７】
この場合は、回路部１３からデジタルプリンタ２の画像処理部２６へ画像データが転送された場合に、同期が取れた状態でデジタルプリンタ２の画像形成処理が行われないことになる。したがって、回路部１３とデジタルプリンタ２の画像処理部２６の間に転送速度を吸収するためのメモリを装着しなければならない。
【００４８】
なお、メモリモジュールは、一般的なパーソナルコンピュータに装着可能なＲＡＭＤＩＭとすることにより、安価かつ入手性の良い拡張方法となる。
【００４９】
また、メモリモジュールをＨＤＤとすることにより、回路部１３とデジタルプリンタ２の画像処理部２６の間に転送速度を吸収するためのメモリとして用いるだけでなく、デジタルスキャナ１で読み取った画像をＨＤＤに蓄積するストレージ機能の拡張と両立することが可能となる。
【００５０】
図５の処理において、生産性が異なるデジタルスキャナ１とデジタルプリンタ２の組み合わせにより異常終了した場合は、図６に示すような処理が実施される。図６は生産性が異なるデジタルスキャナ１とデジタルプリンタ２の組み合わせにより異常終了した場合の後の処理を説明するフローチャートである。
【００５１】
この場合は、メモリモジュールをデジタルプリンタ２の画像処理部２６に装着すれば良いので、図５のステップ３０５において異常終了した後に、メモリモジュールの装着を促すメッセージを操作パネルに表示する（ステップＳ３０６）。また、電源オン時に接続されているデジタルスキャナ１が前回から変化していた場合、すなわち電源オフ時にデジタルスキャナ１が交換された場合も図６に示す処理が実施される。
【００５２】
この場合は、図３のフローチャートに従う処理が正常終了していないことになる。すなわち、図３におけるステップＳ１０１からＳ１０２、Ｓ１０９、Ｓ１１０、Ｓ１１１、Ｓ１１２、Ｓ１１３、更にＳ１１４という処理により、ＮＶＲＡＭ２５の識別データ領域４２のデータとＥＥＰＲＯＭ１８の識別データ領域３２の個体識別用データとの比較結果が不一致であることを検出している。
【００５３】
更に、何らかの原因、例えばデジタルスキャナ１とデジタルプリンタ２０２（図示しない）が故障し、敢えてデジタルスキャナ１０１（図示しない）とデジタルプリンタ２とを組み合わせて使用したい場合には、図７に示すような処理を実施する。図７はデジタルスキャナとデジタルプリンタが正規の組み合わせを持たない場合の異常終了後の処理手順を示すフローチャートである。
【００５４】
このように、デジタルプリンタの生産性がデジタルスキャナの生産性可変範囲外の場合であって、かつデジタルスキャナとデジタルプリンタの間に転送速度を吸収するためのメモリを装着していない場合には、操作部にメモリを装着する旨を表示するので、ユーザあるいはサービスマンにミスを促すことができる。
【００５５】
図３のステップＳ１１４において異常終了した後、図７に示すようにデジタルスキャナとデジタルプリンタの組み合わせが変更された旨を操作パネルに表示し（ステップＳ４０１）、現状の組み合わせでシステムを再構築するか否かを問うメッセージを更に表示させ（ステップＳ４０２）、データの入力を待つ（ステップＳ４０３）。ユーザあるいはサービスマンがシステムの再構築を支持した場合、ＣＰＵ２２はＮＶＲＡＭ２５のフラグ領域４３に初期値を書き込み（ステップＳ４０４）、操作パネルに電源投入を促すメッセージを表示する（ステップＳ４０５）。
【００５６】
この一連の処理の結果、ユーザあるいはサービスマンが電源を投入すると、図３のフローチャートにより、ステップＳ１０１からＳ１０２、Ｓ１０３、Ｓ１０４、Ｓ１０５、Ｓ１０６、Ｓ１０７更にＳ１０８という処理により、新たに接続されたデジタルスキャナ１０１の特性値データをＥＥＰＲＯＭ１８のデータ領域３４からＮＶＲＡＭ２５のスキャナデータ領域４４にコピーする。これにより、新たな組み合わせに構築されたデジタル複写機の可動が可能になる。
【００５７】
このように、本実施形態によれば、第１及び第２の記憶手段の双方の特定領域に特定値を書き込むことにより、最初の接続時に第１の記憶手段のデジタルスキャナ特性値と、予め第１の記憶手段の特定領域に入力されたデジタルスキャナの識別データとデジタルスキャナの生産性情報をデジタルプリンタ装置側の第２の記憶手段の特定領域にコピーすれば、ＣＰＵは唯一のメモリとのアクセスのみでデジタルな画像形成装置としての機能を実現できる。
その結果、接続可能なデジタルスキャナ装置とデジタルプリンタ装置の組み合わせにおいて、デジタルスキャナ装置の生産性とデジタルプリンタ装置 の生産性が異なる場合の接続においても、簡単にデジタル複写機能を実現することができる。
【００５８】
なお、本発明は、本実施形態に限定されるものではなく、特許請求の範囲に記載された技術思想に含まれる技術的事項の全てに及ぶことは言うまでもない。
【図面の簡単な説明】
【００５９】
【図１】本発明の一実施形態のハードウェア構成を示すブロック図である。
【図２】メモリマップを示す図で（ａ）は図１のＥＥＰＲＯＭのメモリマップ、（ｂ）は図１のＮＶＲＡＭのメモリマップである。
【図３】デジタル複写機の制御処理を示すフローチャートである。
【図４】処理時間短縮のための処理を説明するフローチャートである。
【図５】デジタルスキャナとデジタルプリンタの組み合わせによりデジタル複写機能を実現するための処理手順を示すフローチャートである。
【図６】生産性が異なるデジタルスキャナとデジタルプリンタの組み合わせにより異常終了した場合の後の処理手順を示すフローチャートである。
【図７】デジタルスキャナとデジタルプリンタが正規の組み合わせを持たない場合の異常終了後の処理手順を示すフローチャートである。
【符号の説明】
【００６０】
１  デジタルスキャナ
２  デジタルプリンタ
３０  デジタル複写機
１１  コントローラ
１２  ＣＣＤ
１４  センサ
１６  ランプ
１７  モータ
１８  ＥＥＰＲＯＭ
２１  メイン制御部
２２  ＣＰＵ
２３  ＲＯＭ
２４  ＲＡＭ
２５  ＮＶＲＡＭ
２６  画像処理部
【図１】
0005141322.tif 000002
【図２】
0005141322.tif 000003
【図３】
0005141322.tif 000004
【図４】
0005141322.tif 000005
【図５】
0005141322.tif 000006
【図６】
0005141322.tif 000007
【図７】
0005141322.tif 000008